(57)【特許請求の範囲】
【請求項１】
衣類における左右の乳房を覆う一対のカップ部それぞれの頂部よりも下縁側に当該カップ部からはみ出さないように装着されて、各乳房を支持するための支持部材であって、
保形性を有するとともに長尺なシート状に構成され、
自然状態において、各乳房の形状に沿うように長手方向の両端が近付くように湾曲し、自然状態において、各乳房の形状に沿うように幅方向の両端側が近付くように湾曲しているとともに、幅方向の下端から上端側の所定地点までの湾曲の曲率半径が、幅方向の上端から前記所定地点までの湾曲の曲率半径よりも小さい、又は、幅方向の上端から前記所定地点までの湾曲が、幅方向の下端から前記所定地点までの湾曲とは逆の湾曲であることを特徴とする支持部材。
【請求項２】
各乳房下側の輪郭線に沿うように、長手方向の両端から中央部に向かうに従って下方に向けて凸の下方側曲線部を有していることを特徴とする請求項１に記載の支持部材。
【請求項３】
前記一対のカップ部間に向けて延出する延出部を有し、
前記延出部は、前記下方側曲線部に沿って、他の部分よりも上下寸法が小さくなるように形成されていることを特徴とする請求項２に記載の支持部材。
【請求項４】
長手方向の両端から中央部に向かうに従って上方に向けて凸の上方側曲線部を有していることを特徴とする請求項１乃至請求項３のうちいずれか一項に記載の支持部材。
【請求項５】
シートから構成され、
前記シートが、網み目状に構成されていることを特徴とする請求項１乃至請求項４のうちいずれか一項に記載の支持部材。
【請求項６】
前記シートには通気孔が形成されていることを特徴とする請求項５に記載の支持部材。
【請求項７】
前記シートが複数枚積層されて構成されていることを特徴とする請求項５又は請求項６に記載の支持部材。
【請求項８】
請求項７に記載の支持部材の製造方法であって、
複数枚のシートを積層し、熱溶着により固着することを特徴とする支持部材の製造方法。
【請求項９】
請求項１乃至請求項７のうち何れか一項に記載の支持部材を備えたことを特徴とするカップ付き衣類。
【発明の詳細な説明】
【技術分野】
【０００１】
本発明は、左右の乳房を覆う一対のカップ部それぞれに装着されて、各乳房を支持するための支持部材及びカップ付き衣類に関する。
【背景技術】
【０００２】
従来、左右の各バストを脇側から支えるブラジャーが開示されている（例えば、特許文献１参照）。特許文献１に開示されたブラジャー１００は、図８に示すように、バストの輪郭のうち下側部分（以下、「バージスライン」と記す）に沿ってワイヤー１０１が埋設されている。このワイヤー１０１が埋設された部分のうち、脇側上端１０１ａより下方でバストの下端点１０１ｂよりも脇側の間で、ワイヤー１０１に一端が接すると共に、該一端より背面側に向かって下方傾斜するボーン１０２を設け、該ボーン１０２を支えにしてワイヤー１０１を脇側から支持するように構成されている。このブラジャー１００は、ワイヤー１０１によるバストの支持に加えて、ボーン１０２によりワイヤー１０１を支持することで、バストの脇側への流れを抑制するように構成されている。
【先行技術文献】
【特許文献】
【０００３】
【特許文献１】特開平１０−２９２２０８公報
【発明の概要】
【発明が解決しようとする課題】
【０００４】
特許文献１に開示されたブラジャー１００は、図８に示すように、ワイヤー１０１の支持に加えて、ボーン１０２により支持することで、バストの脇側への流れを抑制していたが、例えば、乳房のサイズが大きい場合には、ワイヤー１０１により各乳房を十分に支持することが出来ない場合がある。このため、ワイヤー１０１から乳房形成部分がはみ出してしまい、乳房形成部分がブラジャー１００のカップよりも脇側に流れる脇流れを抑制するのが困難だった。
【０００５】
本発明は、乳房形成部分の脇流れを抑制しつつ、これをカップ部の頂部に向けて押し上げることで、豊かな胸元の形成を図った支持部材及びカップ付き衣類を提供することを目的とする。
【課題を解決するための手段】
【０００６】
上記目的を解決するために本発明は以下の構成を備える。
即ち、本発明は、衣類における左右の乳房を覆う一対のカップ部それぞれの頂部よりも下縁側に当該カップ部からはみ出さないように装着されて、各乳房を支持するための支持部材であって、保形性を有するとともに長尺なシート状に構成され、自然状態において、各乳房の形状に沿うように長手方向の両端が近付くように湾曲し、自然状態において、各乳房の形状に沿うように幅方向の両端側が近付くように湾曲しているとともに、幅方向の下端から上端側の所定地点までの湾曲の曲率半径が、幅方向の上端から前記所定地点までの湾曲の曲率半径よりも小さい、又は、幅方向の上端から前記所定地点までの湾曲が、幅方向の下端から前記所定地点までの湾曲とは逆の湾曲であることを特徴とする支持部材である。
【０００９】
また、本発明においては、各乳房下側の輪郭線に沿うように、長手方向の両端から中央部に向かうに従って下方に向けて凸の下方側曲線部を有しているのがよい。
【００１０】
さらに、また、本発明においては、前記一対のカップ部間に向けて延出する延出部を有し、前記延出部は、前記下方側曲線部に沿って、他の部分よりも上下寸法が小さくなるように形成されているのがよい。
【００１１】
さらに、本発明においては、長手方向の両端から中央部に向かうに従って上方に向けて凸の上方側曲線部を有しているのがよい。
【００１２】
また、本発明においては、シートから構成され、前記シートが、網み目状に構成されているのがよい。
【００１３】
さらに、本発明においては、シートには通気孔が形成されているのがよい。
【００１４】
さらに、また、本発明においては、シートが複数枚積層されて構成されているのがよい。
【００１５】
一方、本発明の支持部材の製造方法は、複数枚のシートを積層し、熱溶着により固着することを特徴とする。
【００１６】
本発明のカップ付き衣類は、本発明の支持部材を備えたことを特徴とする。
【発明の効果】
【００１７】
本発明によれば、支持部材が、各乳房をカップ部の頂部に向けて押し上げるようにカップ部の下縁に沿って装着された状態で衣類を着用することにより、着用者の各乳房が、シート状の支持部材により面で押されて、各カップ部の頂部に向けて押し上げられる。ここで、支持部材は保形性を有し、自然状態において、長手方向の両端が近付くように湾曲しているから、着用者の各乳房にフィットしつつ、各乳房を押し上げることができる。これにより、乳房形成部分の脇流れを抑制しつつ、これをカップ部の頂部に向けて押し上げることで、豊かな胸元の形成を図ることができる。
【００１８】
また、本発明において、自然状態において、各乳房の形状に沿うように幅方向の両端が近付くように湾曲しているのがよい。これにより、支持部材が、着用者の各乳房により一層フィットして、乳房形成部分を各カップ部の頂部に向けて押し上げることができる。
【００１９】
さらに、本発明において、自然状態において、各乳房の形状に沿うように幅方向の両端側が近付くように湾曲しているとともに、幅方向の一端から他端側の所定地点までの湾曲の曲率半径が、幅方向の他端から所定地点までの湾曲の曲率半径よりも小さい、又は、幅方向の他端から所定地点までの湾曲が、幅方向の一端から所定地点までの湾曲とは逆の湾曲であるのがよい。これにより、支持部材の他端が皮膚に食い込むように乳房を圧迫することを抑制しつつ、支持部材が、着用者の各乳房により一層フィットして、乳房形成部分を各カップ部の頂部に向けて押し上げることができる。
【００２０】
また、本発明において、各乳房下側の輪郭線に沿うように、長手方向の両端から中央部に向かうに従って下方に向けて凸の下方側曲線部を有しているのがよい。これにより、着用者が、支持部材が内蔵された一対のカップ部を有する衣類に装着した際に、着用者の各乳房下側の輪郭線に沿って支持部材がフィットして、乳房形成部分を各カップ部の頂部に向けて押し上げることができる。
【００２１】
さらに、また、本発明において、一対のカップ部間に向けて延出する延出部を有し、延出部は、下方側曲線部に沿って、他の部分よりも上下寸法が小さくなるように形成されているのがよい。このような延出部が各乳房下側の輪郭線に延長する位置に設けられることとなり、乳房を圧迫することを抑制しつつ、延出部が形成されていることにより、一対のカップ部間に豊かな胸の谷間を形成しつつ、乳房形成部分を各カップ部の頂部に向けて押し上げることができる。
【００２２】
さらに、本発明において、長手方向の両端から中央部に向かうに従って上方に向けて凸の上方側曲線部を有しているのがよい。これにより、支持部材が内蔵された一対のカップ部を有する衣類を装着した際に、着用者の各乳房の膨らみに沿って支持部材がフィットするから、乳房が圧迫されることなく乳房形成部分を各カップ部の頂部に向けて押し上げることができる。
【００２３】
また、本発明において、シートから構成され、シートが、線状の部材が編まれて構成された網み目状に構成されているのがよい。これにより、支持部材を、外力が付与された状態と、外力が付与されていない自然状態と、で適度に変形するように構成することができるとともに、支持部材が折れ難くなるように構成することができる。
【００２４】
さらに、本発明において、シートには通気孔が形成されているのがよい。これにより、支持部材が装着されていることの違和感を覚えさせることなく、乳房形成部分の脇流れを抑制しつつ、これをカップ部の頂部に向けて押し上げることができる。
【００２５】
さらに、また、シートが複数枚積層されて構成されているのがよい。これにより、積層するシートの枚数を調整することで、変形抵抗（変形させるのに必要な力）を適度なものとすることができる。
【００２６】
さらに、積層された複数枚のシートは、熱溶着により固着されているのがよい。このように構成されていることにより、複数枚のシートが、例えば、接着剤により積層されつつ固着されている場合よりも、経時変化によりシートが剥がれてしまう等の劣化を抑制しつつ、長期の使用に耐え得る支持部材を形成することができる。
【図面の簡単な説明】
【００２７】
【図１】本発明の参考例にかかる支持部材が装着されたカップ付き衣類を示す平面図である。
【図２】図１に示された支持部材を示す斜視図である。
【図３】（Ａ）は、図２中のＩ−Ｉ線に沿う断面図であり、（Ｂ）は、図２中のＩＩ−ＩＩ線に沿う断面図である。
【図４】図２に示された支持部材を示す他の方向から見た斜視図である。
【図５】本発明の一実施の形態にかかる支持部材を示す断面図である。
【図６】図５に示された支持部材の変形例を示す断面図である。
【図７】図２に示された支持部材の他の変形例を示す斜視図である。
【図８】特許文献１に記載された従来のブラジャーを示す斜視図である。
【発明を実施するための形態】
【００２８】
以下、本発明の参考例にかかるカップ付き衣類としてのブラジャーを図１〜図４を参照して説明する。図１は、本発明の参考例にかかる支持部材が装着されたカップ付き衣類を示す平面図である。図２は、図１に示された支持部材を示す斜視図である。図３（Ａ）は、図２中のＩ−Ｉ線に沿う断面図であり、（Ｂ）は、図２中のＩＩ−ＩＩ線に沿う断面図である。図４は、図２に示された支持部材を示す他の方向から見た斜視図である。
【００２９】
図１に示すように、支持部材１は、左右の乳房を覆う一対のカップ部１１それぞれに内蔵（装着）されるものである。この支持部材１が、カップ部１１の下縁に沿って装着された状態でブラジャー１０を着用することにより、着用者の各乳房を、各カップ部１１の頂部に向けて押し上げるためのものである。本参考例において、支持部材１は、カップ付き衣類としてのブラジャー１０のカップ部１１に内蔵されている。なお、本参考例では、カップ付き衣類の一例としてブラジャー１０を説明しているが、本発明はこれに限らず、水着、チューブトップ、ボディスーツ、ブラスリップ、ビスチェ等、その他の各種のカップ付き衣類に適用することができる。
【００３０】
ここで、例えば、中高年層では、乳房が下垂して乳房の上側部分が削げたり、乳房形成部分が脇流れしてしまい、豊かな胸元を演出することが難しい場合がある。また、低年層であっても、乳房形成部分が脇流れしてしまうことで、豊かな胸元を演出することが難しい場合がある。このため、乳房形成部分の脇流れを抑制しつつ、これをカップ部１１の頂部に向けて押し上げることで、豊かな胸元を演出したいという要望がある。この要望に応えるために本願の発明者は、低〜高年層全てに適用可能な支持部材１を発明した。
【００３１】
ブラジャー１０（カップ付き衣類）は、図１、図２に示すように、左右の乳房を覆うとともに支持部材１が内蔵（装着）された一対のカップ部１１と、これら一対のカップ部１１を連結するとともに一対のカップ部１１を下から支える土台部５と、土台部５に連続されて背中側に巻かれる一対のベルト（図示しない）と、各カップ部１１と各ベルトに架け渡される一対の肩ストラップ６と、を備えて構成されている。一対のベルトは、ホックにより留められるように構成されている。一対のカップ部１１は、それぞれ、中心に向かうに従って前方への出寸法が徐々に大きくなるように略半球状に形成されている。
【００３２】
支持部材１は、図２に示すように、保形性を有するとともに長尺なシート状に構成されている。この支持部材１は、長尺方向（長手方向Ｘ）が、各乳房下側の輪郭線に沿うようにカップ部１１に内蔵されて、乳房形成部分の脇流れを抑制しつつ、これをカップ部１１の頂部に向けて押し上げるためのものである。この支持部材１は、着用者の乳房に対応するカップ部１１のサイズに応じた大きさとなるように形成されている。
【００３３】
なお、本明細書において、矢印Ｘ、矢印Ｙ、矢印Ｚは互いに直交する方向を示している。また、支持部材１の長手方向（長尺方向）を矢印Ｘで示し、幅方向を矢印Ｙで示し、厚み方向を矢印Ｚで示す。支持部材１は、幅方向Ｙが着用者の起立方向に沿うようにカップ部１１に装着されているから、支持部材１の幅方向を「上下方向」と記す場合もある。
【００３４】
また、支持部材１は、外力が付与された状態と、外力が付与されていない自然状態と、で適度に変形するように構成されている。そして、支持部材１は、自然状態において、長手方向Ｘの両端４０ａ１、４０ａ２（図３（Ａ）に示す）が互いに近付くように湾曲形成されている。さらに支持部材１は、幅方向Ｙの両端４０ｂ１、４０ｂ２（図３（Ｂ）に示す）が互いに近付くように僅かに湾曲形成されている。このように支持部材１は、長手方向Ｘと幅方向Ｙとの両方に湾曲形成されていることで、各乳房の形状に沿うように構成されている。このように構成されていることで、支持部材１が着用者の各乳房にフィットしつつ、着用者に違和感を覚えさせることなく、各乳房を所望の形状に形作ることができる。
【００３５】
この支持部材１は、その長手方向Ｘの中央部に向かうに従って幅寸法が徐々に大きくなるような略楕円形状の本体部２と、本体部２から延出されるとともに、他の部分よりも幅寸法が小さくなるように形成された延出部３と、を一体に備えて構成されている。本体部２は、略乳房下側の輪郭線に沿うように下方に向けて凸になる下方側曲線部２０と、下方側曲線部２０とこの下方側曲線部２０に対向する上方に向けて凸になる上方側曲線部２１と、を有している。このような下方側曲線部２０を有することにより、着用者が、支持部材１が内蔵された一対のカップ部１１を装着した際に、着用者の各乳房下側の輪郭線に沿って支持部材１がフィットする。また、上方側曲線部２１を有することにより、支持部材１が内蔵されたカップ部１１を装着した際に、着用者の各乳房の膨らみに沿って支持部材１がフィットするから、乳房が圧迫されることなく乳房形成部分を各カップ部１１の頂部に向けて押し上げる。
【００３６】
延出部３は、下方側曲線部２０と略等しい曲率を有して、当該下方側曲線部２０に連続して設けられている。また、延出部３は、本体部２（他の部分）よりも幅寸法（上下寸法）が小さくなるように形成されている。このような延出部３が、各乳房下側の輪郭線に延長する位置に設けられることにより、各乳房が圧迫されることを抑制しつつ、一対のカップ部１１間に豊かな胸の谷間を形成する。
【００３７】
また、支持部材１は、図３（Ａ）（Ｂ）、図４に示すように、線状の部材が編まれて構成されたシート４が複数枚（本参考例では３枚）積層されて構成されている。本参考例において、シート４は、線状の部材として、ポリエステル系繊維であるポリエチレンテレフタレートが編まれて構成されている。このように構成されていることにより、支持部材１を、外力が付与された状態と、外力が付与されていない自然状態と、で適度に変形するように構成することができるとともに、支持部材１を折れ難くしている。また、積層するシート４の枚数を４枚以上或いは２枚にしてもよく、シート４を積層せずに１枚で用いてもよい。このように積層するシート４の枚数を調整することで、変形抵抗（変形させるのに必要な力）を適度なものにすることができる。
【００３８】
次に、支持部材１の製造方法について説明する。まず、複数枚のシート４を積層し、この状態で熱溶着により固着する。これにより形成されたシート材４Ａ（図３（Ａ）（Ｂ）に示す）を支持部材１の出来上がり形状となるように切断し、長手方向Ｘの両端４０ａ１、４０ａ２が近付くように湾曲するように、そして、幅方向Ｙの両端４０ｂ１、４０ｂ２が近付くように湾曲するように熱成形する。こうして、支持部材１を製造する。このように積層された複数枚のシート４（シート材４Ａ）は、熱溶着により固着されていることにより、例えば、接着剤により積層されつつ固着されている場合よりも、経時変化により各シート４が剥がれてしまう等の劣化を抑制しつつ、長期の使用に耐え得る支持部材１を形成することができる。
【００３９】
こうして製造された支持部材１は、例えばダブルラッセルを用いて形成された袋（図示しない）に挿入された状態で、カップ部１１の着用者側の面（裏面）に、各乳房下の輪郭線に下方側曲線部２０が沿うように適宜な位置に配置する。支持部材１が挿入された袋をカップ部１１の裏面に溶着或いは縫合して配置してもよい。ここでダブルラッセルとは、経編という方法で編まれた蜂の巣状のハニカム構造をもった通気性の良い生地のことであり、 二重になっているので強い弾力を有している。さらに、速乾性も有りさらっとした感触で着用者の不快感を軽減する生地である。
【００４０】
このような支持部材１、及び、支持部材１を内蔵したブラジャー１０（カップ付き衣類）によれば、支持部材１が、各乳房をカップ部１１の頂部に向けて押し上げるようにカップ部１１の下縁に沿って装着された状態で着用されることにより、着用者の各乳房が、シート４状の支持部材１により面で押されて、各カップ部１１の頂部に向けて押し上げられる。ここで、支持部材１は保形性を有し、自然状態において、長手方向Ｘの両端４０ａ１、４０ａ２が近付くように湾曲しているから、着用者の各乳房にフィットしつつ、各乳房を押し上げることができる。これにより、乳房形成部分の脇流れを抑制しつつ、これをカップ部１１の頂部に向けて押し上げることで、豊かな胸元の形成を図ることができる。
【００４１】
なお、本発明は、前記参考例に限定されるものではなく、本発明の目的が達成できる他の構成等を含み、以下に示すような変形等も本発明に含まれる。
【００４２】
上述した本参考例において、シート４は、線状の部材が編まれて構成されたシートから構成されているが、本発明はこれに限定されるものではない。支持部材１は、保形性を有する扁平な部材から構成されていれば、その他の樹脂製、或いは金属製等の各種素材から構成されていてもよく、これら異なる部材を組み合わせることで構成されていてもよく、線状材が織られた織物（布）から構成されていても、その素材単体で或いは積層されて構成されていてもよい。
【００４３】
また、本参考例において、シート４を構成する線状の部材としては、ポリエステル系繊維であるポリエチレンテレフタレートを用いて構成されているが、ポリエチレンテレフタレートとは別のポリエステル系繊維は勿論、ポリエチレン、ポリプロピレン、ポリアミド繊維、炭素繊維、金属繊維等から構成されていてもよい。
【００４４】
また、上述した参考例では、支持部材１は、自然状態において、幅方向Ｙの両端４０ｂ１、４０ｂ２が互いに近付くように湾曲形成されているが、本発明はこれに限定されるものではない。支持部材１Ａは、図５に示すように、自然状態において、各乳房の形状に沿うように幅方向Ｘの両端４０ｂ１、４０ｂ２が近付くように湾曲しているとともに、幅方向Ｘの一端４０ｂ１から所定地点４０ｂ３までの湾曲の曲率半径が、幅方向Ｘの他端４０ｂ２から所定地点４０ｂ３までの湾曲の曲率半径よりも小さくなるように形成されていてもよい。また、支持部材１Ｂは、図６に示すように、自然状態において、各乳房の形状に沿うように幅方向Ｘの一端４０ｂ１と所定地点４０ｂ３とが近付くように一方側（Ｚ方向）に凸に湾曲しているとともに、幅方向Ｘの他端４０ｂ２と所定地点４０ｂ３とが近付くように一方側とは逆の他方側に凸に湾曲するように形成されていてもよい。即ち、幅方向の他端４０ｂ２から所定地点４０ｂ３までの湾曲が、幅方向の一端４０ｂ１から所定地点４０ｂ３までの湾曲とは逆に湾曲するように形成されていてもよい。なお、図５、図６において、上述した実施形態と同一構成乃至同一機能を有する部分には、同一符号を付して説明を省略する。これにより、支持部材１Ａ、１Ｂの他端４０ｂ２が皮膚に食い込むように乳房を圧迫することを抑制しつつ、支持部材１Ａ、１Ｂが、着用者の各乳房により一層フィットして、乳房形成部分を各カップ１１部の頂部に向けて押し上げることができる。
【００４５】
また、図７に示すように、上述した支持部材１、１Ａ、１Ｂに、さらに通気孔７が形成されていてもよい。この通気孔７は、複数枚のシート４が積層されたシート材４Ａに所定間隔をあけて貫通孔が形成されることで構成されている。このように、支持部材１、１Ａ、１Ｂに複数の通気孔７が形成されていることにより、支持部材１、１Ａ、１Ｂが装着されていることの違和感を覚えさせることなく、乳房を所望の形状に形作ることができる。なお、図７において、上述した実施形態と同一構成乃至同一機能を有する部分には、同一符号を付して説明を省略する。貫通孔を設ける場合には、積層される前の各シート４において、その一部が重なるように予め貫通孔を形成しておき、積層された際に、積層された貫通孔の一部同士が重なるように構成されていてもよい。また、シート４は、メッシュ状に織られて構成されていてもよい。この場合には、貫通孔を形成する必要がない。
【００４６】
前述した各実施形態は本発明の好ましい形態を示したに過ぎず、本発明は、これら実施形態に限定されるものではない。即ち、当業者は、従来公知の知見に従い、本発明の骨子を逸脱しない範囲で種々改変して実施することができる。かかる改変によってもなお本発明の支持部材及びカップ付き衣類の構成を具備する限り、勿論、本発明の範疇に含まれるものである。
【符号の説明】
【００４７】
１                  支持部材
１０                ブラジャー（カップ付き衣類）
１１                カップ部
３                  延出部
４                  シート
２０                下方側曲線部
２１                上方側曲線部
４０ａ１、４０ａ２  長手方向の両端
４０ｂ１、４０ｂ２  幅方向の両端（幅方向の一端、他端）
４０ｂ３            他端側の所定地点
【要約】
【課題】本発明は、乳房形成部分の脇流れを抑制しつつ、これをカップ部の頂部に向けて押し上げることで、豊かな胸元の形成を図った支持部材及びカップ付き衣類を提供することを目的とする。
【解決手段】カップ付き衣類１０は、衣類における左右の乳房を覆う一対のカップ部１１それぞれに装着されて、各乳房を支持するためのものであり、保形性を有するとともに長尺なシート状に構成され、自然状態において、各乳房の形状に沿うように長手方向の両端４０ａ１、４０ａ２が近付くように湾曲している。
【選択図】図１【図１】
0005970594.tif 000002
【図２】
0005970594.tif 000003
【図３】
0005970594.tif 000004
【図４】
0005970594.tif 000005
【図５】
0005970594.tif 000006
【図６】
0005970594.tif 000007
【図７】
0005970594.tif 000008
【図８】
0005970594.tif 000009